(57)【要約】      （修正有）【課題】簡易な構成で、伝送信号に関する電磁遮蔽を嵌合状態において容易かつ十分に行わせることを可能とする。【解決手段】ケーブル状信号伝送部材ＳＣの内部導体ＳＣａ及び外部導体ＳＣｂに接続されるプラグシェル及びリセシェル２３に、ケーブル状信号伝送部材ＳＣの延在方向において予め定められた距離を隔てて一対のプラグ側遮蔽部材１３ｉ，１３ｊ及びリセ側遮断部材２３ａ，２３ｂを設け、プラグコネクタ１とリセプタクルコネクタ２とが嵌合された状態において、ケーブル状信号伝送部材ＳＣの延在方向に対向する一対の二重遮蔽壁部１３ｉ，２３ａ及び１３ｊ，２３ｂを配置し、それら一対の二重遮蔽壁部１３ｉ，２３ａ及び１３ｊ，２３ｂ同士の間部分にプラグコンタクト１２及びリセコンタクト２２を配置したものである。【選択図】図５
2018045938.tif 000002
【特許請求の範囲】
【請求項１】
内部導体及び外部導体を有する複数のケーブル状信号伝送部材が連結されるプラグコネクタが、配線基板の主面に実装されるリセプタクルコネクタに嵌合される構成を備えたものであって、
前記プラグコネクタは、前記各ケーブル状信号伝送部材の内部導体に接続されて前記ケーブル状信号伝送部材の延在方向に延在する導電性のプラグコンタクトと、そのプラグコンタクトが複数体にわたって配列された絶縁性のプラグハウジングと、前記プラグハウジングに装着されて前記複数のケーブル状信号伝送部材の外部導体に接続される導電性のプラグシェルと、を備えているとともに、
前記リセプタクルコネクタは、前記プラグコネクタが嵌合された状態で、前記プラグコンタクトのそれぞれに接続される導電性の複数のリセコンタクトと、それら複数のリセコンタクトが配列される絶縁性のリセハウジングと、前記リセハウジングに配置され、前記プラグコネクタが嵌合された際に、前記プラグシェルに対して挟持する状態で接触する導電性のリセシェルと、を備えたケーブル用電気コネクタ装置において、
前記プラグシェルは、前記ケーブル状信号伝送部材の延在方向において予め定められた距離を隔てて設けられた一対のプラグ側遮蔽部材を有し、それら一対のプラグ側遮蔽部材の間部分に前記プラグコンタクトのそれぞれが配置されているとともに、
前記リセシェルは、前記ケーブル状信号伝送部材の延在方向に予め定められた距離を隔てて設けられた一対のリセ側遮断部材を有し、それら一対のリセ側遮蔽部材の間部分に前記リセコンタクトのそれぞれが配置され、
前記プラグコネクタとリセプタクルコネクタとが嵌合された状態において、前記プラグ側遮蔽部材と前記リセ側遮蔽部材とが、前記ケーブル状信号伝送部材の延在方向に対向配置されて一組の二重遮蔽壁部が構成されているとともに、
前記一組の二重遮蔽壁部は、前記ケーブル状信号伝送部材の延在方向に予め定められた距離を隔てて一対配置され、当該一対の二重遮蔽壁部同士の間部分に、前記プラグコンタクト及びリセコンタクトが配置されていることを特徴とするケーブル用電気コネクタ装置。
【請求項２】
前記リセシェルは、前記ケーブル状信号伝送部材の延在方向に予め定められた距離を隔てて設けられた一対のリセ側遮断部材を前記ケーブルの延在方向に掛け渡す導電性のリセ側遮断接続部材を一対備え、
それら一対のリセ側遮断部材及び一対のリセ側遮断接続部材により形成された枠状体が、前記複数のリセコンタクトを予め決定された距離を隔てて囲んだ状態に配置されていることを特徴とする請求項１記載のケーブル用電気コネクタ装置。
【請求項３】
前記プラグシェルは、前記ケーブル状信号伝送部材の延在方向に予め定められた距離を隔てて設けられた一対のプラグ側遮断部材を前記ケーブルの延在方向に掛け渡す導電性のプラグ側遮断接続部材を一対備え、
それら一対のプラグ側遮断部材及び一対のプラグ側遮断接続部材により形成された枠状体が、前記複数のプラグコンタクトを予め決定された距離を隔てて囲んだ状態に配置されていることを特徴とする請求項１記載のケーブル用電気コネクタ装置。
【請求項４】
前記リセコンタクトが、前記プラグコンタクトとの接触部分から前記ケーブルの延在方向に延出する自由端部を有する一方、
前記リセハウジングは、前記一対のリセ側遮断部材及び一対のリセ側遮断接続部材に囲まれた状態に配置されているとともに、
前記リセハウジングに、前記リセハウジングを前記配線基板の主面と直交する方向に貫通した窓が設けられたものであって、
前記窓の開口部が、前記リセコンタクトの自由端部に対面した状態に配置されていることを特徴とする請求項１記載のケーブル用電気コネクタ装置。
【請求項５】
前記プラグシェル及びリセシェルは、少なくとも嵌合時に接触する部分が、金属部材から構成されていることを特徴とする請求項１記載のケーブル用電気コネクタ装置。
【発明の詳細な説明】
【技術分野】
【０００１】
本発明は、ケーブル状の信号伝送部材（以後、「ケーブル状信号伝送部材」と称す）が連結されたプラグコネクタを、配線基板に実装されたリセプタクルコネクタに嵌合させる構成を備えたケーブル用電気コネクタ装置に関する。
【背景技術】
【０００２】
一般に、種々の電気機器において信号の伝送を行うにあたって、細線同軸ケーブル等のケーブル状信号伝送部材をプラグコネクタに連結するとともに、配線基板の主面上にリセプタクルコネクタを実装し、そのリセプタクルコネクタに対してプラグコネクタを嵌合させることで電気的な接続を行うようにしたケーブル用電気コネクタ装置が広く採用されている。このような電気コネクタ装置では、両コネクタ同士の嵌合時に、双方のコンタクト部材の接点部が接触状態となって信号の伝送が行われる。
【０００３】
一方、上述したように両コネクタが嵌合された際に、伝送信号の電磁遮蔽が行われるようにした構成が従来からしばしば採用されている。すなわち、その電磁遮蔽構造は、両コネクタに設けられた導電性シェル同士が、嵌合時に複数箇所で互いに接触状態になされ、それらの導電性シェルの接触部分が、コンタクト部材を含む信号伝送経路を覆うことによって、信号伝送経路から放射される電磁波の外部伝搬を抑制するようにしたものである。
【０００４】
しかしながら、従来のケーブル用電気コネクタ装置に設けられた電磁遮蔽構造においては、例えばリセコンタクトの先端部分が、枠状体をなす導電性のリセシェルの外方に突出しており、電気コネクタ装置の外方にリセコンタクトの一部が露出した状態になされている。このような構成では、ケーブル用電気コネクタ装置として十分な電磁遮蔽作用が得られないことが考えられる。また、伝送信号の高周波化が顕著に進められている近年では、高周波信号に対する電磁遮蔽特性（ＥＭＩ特性）を更に向上させることが要請されている。
【先行技術文献】
【特許文献】
【０００５】
【特許文献１】特開２０１０−１５７３６７号公報
【発明の開示】
【発明が解決しようとする課題】
【０００６】
そこで本発明は、簡易な構成で、伝送信号に関する電磁遮蔽を嵌合状態において容易かつ十分に行わせることができるようにしたケーブル用電気コネクタ装置を提供することを目的とする。
【課題を解決するための手段】
【０００７】
上記目的を達成するため請求項１にかかる発明では、内部導体及び外部導体を有する複数のケーブル状信号伝送部材が連結されるプラグコネクタが、配線基板の主面に実装されるリセプタクルコネクタに嵌合される構成を備えたものであって、前記プラグコネクタは、前記各ケーブル状信号伝送部材の内部導体に接続されて前記ケーブル状信号伝送部材の延在方向に延在する導電性のプラグコンタクトと、そのプラグコンタクトが複数体にわたって配列された絶縁性のプラグハウジングと、前記プラグハウジングに装着されて前記複数のケーブル状信号伝送部材の外部導体に接続される導電性のプラグシェルと、を備えているとともに、前記リセプタクルコネクタは、前記プラグコネクタが嵌合された状態で、前記プラグコンタクトのそれぞれに接続される導電性の複数のリセコンタクトと、それら複数のリセコンタクトが配列される絶縁性のリセハウジングと、前記リセハウジングに配置され、前記プラグコネクタが嵌合された際に、前記プラグシェルに対して挟持する状態で接触する導電性のリセシェルと、を備えたケーブル用電気コネクタ装置において、前記プラグシェルは、前記ケーブル状信号伝送部材の延在方向において予め定められた距離を隔てて設けられた一対のプラグ側遮蔽部材を有し、それら一対のプラグ側遮蔽部材の間部分に前記プラグコンタクトのそれぞれが配置されているとともに、前記リセシェルは、前記ケーブル状信号伝送部材の延在方向に予め定められた距離を隔てて設けられた一対のリセ側遮断部材を有し、それら一対のリセ側遮蔽部材の間部分に前記リセコンタクトのそれぞれが配置され、前記プラグコネクタとリセプタクルコネクタとが嵌合された状態において、前記プラグ側遮蔽部材と前記リセ側遮蔽部材とが、前記ケーブル状信号伝送部材の延在方向に対向配置されて一組の二重遮蔽壁部が構成されているとともに、前記一組の二重遮蔽壁部は、前記ケーブル状信号伝送部材の延在方向に予め定められた距離を隔てて一対配置され、当該一対の二重遮蔽壁部同士の間部分に、前記プラグコンタクト及びリセコンタクトが配置された構成が採用されている。
【０００８】
このような構成を備えた本発明によれば、リセプタクルコネクタに対してプラグコネクタが嵌合された際に、プラグシェルの一部とリセシェルの一部とからなる二重遮蔽壁部同士の間部分に、プラグコンタクト及びリセコンタクトが配置されることから、伝送信号に対して良好な電磁遮蔽作用が得られ、高周波伝送においても十分なＥＭＩ対策が可能となる。
【０００９】
また、本発明における前記リセシェルは、前記ケーブル状信号伝送部材の延在方向に予め定められた距離を隔てて設けられた一対のリセ側遮断部材を前記ケーブルの延在方向に掛け渡す導電性のリセ側遮断接続部材を一対備え、それら一対のリセ側遮断部材及び一対のリセ側遮断接続部材により形成された枠状体が、前記複数のリセコンタクトを予め決定された距離を隔てて囲んだ状態に配置されていることが望ましい。
【００１０】
このような構成を備えた本発明によれば、リセ側遮断部材とリセ側遮断接続部材とにより形成された枠状体によって、プラグコンタクト及びリセコンタクトが外方から取り囲まれた状態になされることから、電磁遮蔽作用がさらに高められる。
【００１１】
さらに、本発明における前記プラグシェルは、前記ケーブル状信号伝送部材の延在方向に予め定められた距離を隔てて設けられた一対のプラグ側遮断部材を前記ケーブルの延在方向に掛け渡す導電性のプラグ側遮断接続部材を一対備え、それら一対のプラグ側遮断部材及び一対のプラグ側遮断接続部材により形成された枠状体が、前記複数のプラグコンタクトを予め決定された距離を隔てて囲んだ状態に配置されていることが望ましい。
【００１２】
このような構成を備えた本発明によれば、プラグ側遮断部材とプラグ側遮断接続部材とにより形成された枠状体によって、プラグコンタクト及びリセコンタクトが外方から取り囲まれた状態になされることから、電磁遮蔽作用がさらに高められることとなる。
【００１３】
さらに、本発明においては、前記リセコンタクトが、前記プラグコンタクトとの接触部分から前記ケーブルの延在方向に延出する自由端部を有する一方、前記リセハウジングは、前記一対のリセ側遮断部材及び一対のリセ側遮断接続部材に囲まれた状態に配置されているとともに、前記リセハウジングに、前記リセハウジングを前記配線基板の主面と直交する方向に貫通した窓が設けられたものであって、前記窓の開口部が、前記リセコンタクトの自由端部に対面した状態に配置されていることが望ましい。
【００１４】
このような構成を備えた本発明によれば、リセハウジングに設けられた窓を通して、プラグシェルとリセシェルとからなる二重遮蔽壁部同士の間部分に配置されたプラグコンタクト及びリセコンタクトの配線基板に対する接続状態が容易かつ確実に確認される。
【００１５】
また、本発明における前記プラグシェル及びリセシェルは、少なくとも嵌合時に接触する部分が、金属部材から構成されていることが望ましい。
【００１６】
このような構成を備えた本発明によれば、リセプタクルコネクタに対するプラグコネクタの嵌合操作が、プラグシェルとリセシェルとの金属部材同士の接触によって容易かつ安定的に行われる。
【発明の効果】
【００１７】
以上述べたように本発明にかかるケーブル用電気コネクタ装置は、ケーブル状信号伝送部材の内部導体及び外部導体に接続されるプラグシェル及びリセシェルに、ケーブル状信号伝送部材の延在方向において予め定められた距離を隔てて一対のプラグ側遮蔽部材及びリセ側遮断部材を設け、プラグコネクタとリセプタクルコネクタとが嵌合された状態において、一対のプラグ側遮蔽部材及びリセ側遮蔽部材の組からなる一対の二重遮蔽壁部をケーブル状信号伝送部材の延在方向に予め定められた距離を隔てて対向配置し、それら一対の二重遮蔽壁部同士の間部分にプラグコンタクト及びリセコンタクトを配置したことで、伝送信号に対して良好な電磁遮蔽作用を得るように構成したものであるから、簡易な構成で、伝送信号に関する電磁遮蔽を嵌合状態において容易かつ十分に行わせることができる。
【図面の簡単な説明】
【００１８】
【図１】本発明の一実施形態にかかる電気コネクタ装置において、同軸ケーブルを連結したプラグコネクタを、リセプタクルコネクタの上方から嵌合しようとする状態を表した外観斜視説明図である。
【図２】図１に示された電気コネクタ装置の平面説明図である。
【図３】図１及び図２に示された電気コネクタ装置の正面説明図である。
【図４】図１〜図３に示された電気コネクタ装置の側面説明図である。
【図５】図３中のV−V線に沿った拡大横断面説明図である。
【図６】図１〜図５に示された電気コネクタ装置を構成しているプラグコネクタの外観斜視説明図である。
【図７】図６に示されたプラグコネクタの正面説明図である。
【図８】図６及び図７に示されたプラグコネクタの側面説明図である。
【図９】図６〜図８に示されたプラグコネクタの底面説明図である。
【図１０】図７中のX−X線に沿った拡大横断面説明図である。
【図１１】図６〜図１０に示されたプラグコネクタに用いられているプラグシェルの単体を表した外観斜視説明図である。
【図１２】図１〜図５に示された電気コネクタ装置を構成しているリセプタクルコネクタの外観斜視説明図である。
【図１３】図１２に示されたリセプタクルコネクタ平面説明図である。
【図１４】図１２及び図１３に示されたリセプタクルコネクタの正面説明図である。
【図１５】図１２〜図１４に示されたリセプタクルコネクタの側面説明図である。
【図１６】図１２〜図１５に示されたリセプタクルコネクタの底面説明図である。
【図１７】図１４中のXVII−XVII線に沿った拡大横断面説明図である。
【図１８】図１２〜図１７に示されたリセプタクルコネクタに用いられているリセシェルの単体を表した外観斜視説明図である。
【図１９】図１２〜図１７に示されたリセプタクルコネクタに用いられている絶縁性のリセハウジングの単体を表した外観斜視説明図である。
【図２０】図１９に示されたリセハウジングの平面説明図である。
【図２１】本発明の他の実施形態にかかるリセハウジングの単体を表した平面説明図である。
【発明を実施するための形態】
【００１９】
以下、ケーブル状信号伝送部材としての複数本の細線同軸ケーブルを用いたケーブル用電気コネクタ装置に本発明を適用した場合の実施形態に関する説明を図面に基づいて詳細に行う。
【００２０】
[ケーブル用電気コネクタ装置の全体構造について]
まず、図１〜図５に示された本発明の一実施形態にかかるケーブル用電気コネクタ装置は、細線同軸ケーブル（ケーブル状信号伝送部材）ＳＣの端末部分が連結されたプラグコネクタ１と、印刷配線基板（図示省略）の主面に実装されたリセプタクルコネクタ２と、からなる垂直嵌合型コネクタ装置を構成するものであって、リセプタクルコネクタ２の直上に配置されたプラグコネクタ１が、図示を省略した印刷配線基板の主面と略直交する図３〜図５の下方側に向かって下降されることによって、前記リセプタクルコネクタ２に設けられた凹み状の嵌合凹部にプラグコネクタ１に設けられた凸状の嵌合凸部が差し込まれるようにして両コネクタ１，２同士の嵌合が行われるようになっている。
【００２１】
なお、以下においては、印刷配線基板の主面が「水平方向」に延在しているものとする。また、その印刷配線基板の主面と直交する方向を「上下方向」とし、プラグコネクタ１を差し込む方向を「下方向」、それとは反対の抜き出す方向を「上方向」とする。
【００２２】
上述したプラグコネクタ１及びリセプタクルコネクタ２は、平面視において細長状の略長方形状になされており、一対の長手側端縁部と一対の短手側端縁部とを有している。そして、プラグコネクタ１が有している一対の長手側端縁部のうちの一方側の端縁部（図２の上側端縁部）に、多極状に並列するように配列された複数本の細線同軸ケーブルＳＣの端末部分が連結されている。
【００２３】
以下においては、細線同軸ケーブルＳＣの端末部分が延在している方向を「前後方向」とし、当該細線同軸ケーブルＳＣの端末部分が連結される側の長手側端縁部を「後端縁部」、それに対向している反対側の他方の長手側端縁部を「前端縁部」と呼ぶこととする。さらに、それらプラグコネクタ１の「後端縁部」及び「前端縁部」に対応するリセプタクルコネクタ２の各端縁部についても、同様に「後端縁部」及び「前端縁部」と呼ぶこととし、また、それらの「後端縁部」及び「前端縁部」に各々向かう方向を「後方向」及び「前方向」とする。さらに、プラグコネクタ１及びリセプタクルコネクタ２の長手方向を、単に「長手方向」又は「多極配列方向」と呼ぶ。
【００２４】
[細線同軸ケーブルについて]
上述した細線同軸ケーブルＳＣのそれぞれにおける端末部分には、図６〜図１０にも示されているように、被覆材が皮剥きされることによってケーブル中心導体（信号線）ＳＣａ及びケーブル外部導体（シールド線）ＳＣｂが同軸状をなすように露出されており、当該細線同軸ケーブルＳＣの中心軸線に沿うようにして配置されたケーブル中心導体ＳＣａが、プラグコネクタ１に設けられた後述の各プラグコンタクト１２のそれぞれに半田付けされる。このプラグコネクタ１の各プラグコンタクト１２は、リセプタクルコネクタ２に設けられた後述のリセコンタクト２２に接触し、それにより信号回路が構成されるようになっている。
【００２５】
また、細線同軸ケーブルＳＣのケーブル外部導体ＳＣｂは、上記ケーブル中心導体ＳＣａと絶縁された状態で外周側を取り囲むように配置されており、グランド部材を構成している上部グランドバーＧＵと下部グランドバーＧＤとの間において当該ケーブル外部導体ＳＣｂが上下に挟持される配置関係になされている。
それらの上部グランドバーＧＵ及び下部グランドバーＧＤは、多極配列方向に沿って長尺状に延在する細長の帯板状部材から形成されており、半田付けやカシメや圧接等によりケーブル外部導体ＳＣｂに接続された状態で、後述するプラグコネクタ１のプラグシェル１３に接触し、それにより接地用のグランド回路が構成されるようになっている。
【００２６】
[絶縁ハウジング及びコンタクト部材について]
一方、上述したプラグコネクタ１及びリセプタクルコネクタ２は、細長板状をなす絶縁性部材からなるプラグハウジング１１及びリセハウジング２１をそれぞれ備えており、それらのプラグハウジング１１及びリセハウジング２１には、長手方向に沿って多数のプラグコンタクト１２及びリセコンタクト２２が適宜のピッチ間隔で多極状をなすように配列されている。これらの多数のプラグコンタクト１２及びリセコンタクト２２は、信号伝送用のシグナルコンタクトを構成しており、上述した細線同軸ケーブルＳＣのケーブル中心導体ＳＣａの端末部分が半田付けされるようになっている。なお、これら複数のプラグコンタクト１２及びリセコンタクト２２のうちの一部を、接地用のグランドコンタクト（シールドコンタクト）とすることも可能である。
【００２７】
上述した複数体のプラグコンタクト１２及びリセコンタクト２２は、それぞれ信号回路又はグランド回路を構成するものであるが、プラグハウジング１１及びリセハウジング２１に対しては、例えばインサート成形によって埋設された状態にて配置されている。このプラグコネクタ１に取り付けられた複数体のプラグコンタクト１２は、略同一の形状をなすように形成されているとともに、リセプタクルコネクタ２に取り付けられたリセコンタクト２２も、同様に略同一の形状をなすように形成されている。
【００２８】
より具体的に説明すると、特に図５及び図６に示されているように、プラグコネクタ１側に設けられたプラグコンタクト１２は、略水平方向に延在する導体接続部１２ａを備えているとともに、その導体接続部１２ａの後端部（図５及び図６の右端部）から略直角下方（嵌合方向）に向かって折れ曲がって延出する嵌合接続部１２ｂを有している。このうち導体接続部１２ａは、プラグハウジング１１の「前後方向」における略中央部分に載置されており、上述した細線同軸ケーブルＳＣのケーブル中心導体ＳＣａが上方側から当接されて、例えば半田付けにより接合される。このときの複数体のケーブル中心導体ＳＣａとプラグコンタクト１２の半田接合は一括的に行うことが可能である。
【００２９】
一方、当該プラグコンタクト１２の嵌合接続部１２ｂにおいては、上下方向の途中位置に信号接点が設けられており、プラグコネクタ１がリセプタクルコネクタ２に嵌合されたときに、そのプラグコンタクト１２の信号接点に対して、後述するリセプタクルコネクタ２のリセコンタクト２２に設けられた信号接点凸部２２ｃが接触状態となり、それらの両接点部の接触によって信号回路が構成されるようになっている。
【００３０】
このようなプラグコネクタ１に設けられたプラグコンタクト１２に対して、リセプタクルコネクタ２側のリセコンタクト２２は、図１２〜図１７にも示されているように、側面視において略Ｓ状をなすように折り曲げ形成された弾性接続部２２ａを有しているとともに、その弾性接続部２２ａの前端部（図５及び図１７の左端部）からは、略水平に延在する基板接続部２２ｂが、ケーブル状信号伝送部材としての細線同軸ケーブルＳＣの延在方向である「前後方向」に延びている。この基板接続部２２ｂは、リセコンタクト２２における前方側（図５及び図１７の左端側）において自由端部を構成するものであるが、その自由端部を構成している基板接続部２２ｂは、印刷配線基板の主面上に設けられた信号導電路（図示省略）に対して半田付けで接合されることで電気的な接続が行われ、それによって信号回路が構成されるようになっている。
【００３１】
ここで、リセハウジング２１には、特に図１９及び図２０に示されているように、上述したリセコンタクト２２の自由端部を構成している基板接続部２２ｂを目視可能とする窓２１ａが、各々のリセコンタクト２２ごとに複数体にわたって形成されている。それら複数体の窓２１ａは、「長手方向（多極配列方向）」に並列された状態に配置されており、各窓２１ａが、印刷配線基板の主面と直交する「上下方向」に貫通する平面略矩形状の貫通穴から形成されている。そして、それらの各窓２１ａの開口部が、リセコンタクト２２の自由端部である基板接続部２２ｂに対して上方から臨むように配置されていることによって、当該窓２１ａを通して基板接続部２２ｂの印刷配線基板に対する接続状態が、上方から目視で確認されるようになっている。
【００３２】
さらに、上述したリセコンタクト２２の弾性接続部２２ａは、リセハウジング２１における「前後方向」の略中央部分に配置されており、当該弾性接続部２２ａの後端側（図５及び図１７の右端側）には、さらに後方側（図５及び図１７の右方側）に向かって略「く」の字状に突出する信号接点凸部２２ｃが設けられている。このリセコンタクト２２に設けられた信号接点凸部２２ｃは、プラグコネクタ１がリセプタクルコネクタ２に嵌合されたときに、前述したプラグコネクタ１側のプラグコンタクト１２に設けられた信号接点部に対して、後方側（図５及び図１７の右方側）に向かって略水平方向に弾性的に圧接された状態で接続され、それにより信号回路が構成されるようになっている。
【００３３】
[プラグシェルについて]
一方、プラグコネクタ１の外方部分を構成するように装着された金属板状部材からなるプラグシェル１３は、例えば図６に示すように、前述したプラグハウジング１１の上面側部分を覆う上部プラグシェル１３ａと、プラグハウジング１１の外周表面部分を覆う下部プラグシェル１３ｂとから構成されている。このプラグコネクタ１のプラグシェル１３は、グランド回路の一部を構成するものであって、下部プラグシェル１３ｂが圧入により固定されたプラグハウジング１１の上面に対して、前述した両グランドバー（グランド部材）ＧＵ，ＧＤに半田接合された細線同軸ケーブルＳＣが載置され、さらにその細線同軸ケーブルＳＣの上方から上部プラグシェル１３ａが被せられるようにして装着される。このようなプラグシェル１３が装着されることによって、プラグハウジング１１の外表面のうち、リセプタクルコネクタ２が嵌合される部分を除くほぼ全体がプラグシェル１３により覆われた状態になされる。
【００３４】
このとき、特に図１１に示されているように、上述したプラグシェル１３の上部プラグシェル１３ａには、「長手方向（多極配列方向）」の両端側部分に固定片１３ｃが下方に突出するように折り曲げ形成されており、それらの固定片１３ｃが、下部プラグシェル１３ｂの長手方向における両側部分に設けられた係止部１３ｄに対して弾性的に係合され、それによって上部プラグシェル１３ａと下部プラグシェル１３ｂとが、長手方向の両端側部分で固定状態になされている。
【００３５】
さらに、上述した下部プラグシェル１３ｂの前端面部分には、前方側に突出するようにして複数体の固定片１３ｅが設けられており、それらの各固定片１３ｅが、上部プラグシェル１３ｂの同じく前端面部分に複数体にわたって設けられた係止部１３ｆに対して弾性的に係合され、それによって上部プラグシェル１３ａと下部プラグシェル１３ｂとが、前端面部分において固定状態に維持されている。
【００３６】
このようにしてプラグコネクタ１に装着されたプラグシェル１３の上部プラグシェル１３ａ及び下部プラグシェル１３ｂにおける各後端部分（図５の右端部分）には、特に図１１に示されているように、後方側に向かって延出する複数体のグランド接続舌片１３ｇ，１３ｈが、「長手方向（多極配列方向）」に所定の間隔なして設けられている。それらの各グランド接続舌片１３ｇ，１３ｈは、片持ちの板バネ状をなすようにして略水平に延在しており、当該各グランド接続舌片１３ｇ，１３ｈが、上述したようにプラグシェル１３の装着が行われたときに、上部グランドバーＧＵ及び下部グランドバーＧＤに対して上下の方向から挟むようにして圧接状態になされ（図５参照）、それによってグランド回路の一部が構成されるようになっている。
【００３７】
ここで、前述したプラグシェル１３の下部プラグシェル１３ｂは、平面視において細長状の略長方形状になされており、同じく平面視において細長状の略長方形状になされたプラグハウジング１１の外周表面部分を覆う枠状体から構成されている。すなわち、この下部プラグシェル１３ｂは、プラグハウジング１１の外周表面のうちの前端側（図５の左端側）及び後端側（図５の右端側）を覆う前部外周壁板１３ｉ及び後部外周壁板１３ｊを有している。また、それらの前部外周壁板１３ｉ及び後部外周壁板１３ｊの長手方向の両端部同士は、細線同軸ケーブルＳＣの延在方向である「前後方向」に延在する一対の側部外周壁板１３ｋ，１３ｋにより掛け渡されており（図１１参照）、これら前部外周壁板１３ｉ、後部外周壁板１３ｊ及び側部外周壁板１３ｋ，１３ｋによって枠状体が形成されている。そして、このような枠状体からなるプラグシェル１３の下部プラグシェル１３ｂは、リセプタクルコネクタ２に設けられた嵌合凹部の内方側に挿入されるようにして嵌合されるようになっている。
【００３８】
ここで、上述したプラグシェル１３の下部プラグシェル１３ｂにおける前後の金属壁部を構成している前部外周壁板１３ｉ及び後部外周壁板１３ｊは、印刷配線基板の主面に実装されたリセプタクルコネクタ２にプラグコネクタ１が嵌合された際、印刷配線基板の主面から立ち上がるようにして上下方向に延在しており、これらの前部外周壁板１３ｉ及び後部外周壁板１３ｊが、細線同軸ケーブルＳＣの延在方向である「前後方向」において予め定められた距離を隔てて配置されている。
【００３９】
[リセシェルについて]
これに対して、リセコネクタ２の外方部分を構成するように装着された金属板状部材からなるリセシェル２３も、グランド回路の一部を構成するものであるが、特に図１８に示されているように、リセハウジング２１の外周表面部分を覆う平面略長方形状の細長状の枠状体から構成されている。すなわち、このリセシェル２３は、リセハウジング２１の外周表面のうちの前端側（図５の左端側）及び後端側（図５の右端側）を覆う前部外周壁板２３ａ及び後部外周壁板２３ｂを有しているとともに、それらの前部外周壁板２３ａ及び後部外周壁板２３ｂの長手方向の両端部同士を、細線同軸ケーブルＳＣの延在方向である「前後方向」に掛け渡す一対の側部外周壁板２３ｃ，２３ｃ（図１２及び図１８参照）を有している。
【００４０】
このようなリセプタクルコネクタ２のリセシェル２３における前後の壁部分を構成している前部外周壁板２３ａ及び後部外周壁板２３ｂは、印刷配線基板の主面にリセプタクルコネクタ２が実装された際、印刷配線基板の主面から立ち上がるようにして上下方向に延在しており、これらの前部外周壁板２３ａ及び後部外周壁板２３ｂが、細線同軸ケーブルＳＣの延在方向である「前後方向」において予め定められた距離を隔てて配置されている。
【００４１】
このとき、上述した前部外周壁板２３ａ及び後部外周壁板２３ｂの下端縁部は、印刷配線基板の主面に沿って延在しているが、当該前部外周壁板２３ａ及び後部外周壁板２３ｂの下端縁部には、略水平に延出する複数体の基板接続部２３ｆ，２３ｆ，・・・が、長手方向に所定の距離を隔てて設けられている（図１３参照）。これらの各基板接続部２３ｆは、印刷配線基板の主面上に形成された接地用導電路（図示省略）に対して半田付けで接合され、それによってシールド回路が構成されるようになっている。
【００４２】
さらに、上述した前部外周壁板２３ａ及び後部外周壁板２３ｂの各上端縁からは、例えば図１７に示すように、プラグコネクタ１に対する嵌合凹部を形成しているコネクタ内方側に向かって、前部内周壁板２３ｄ及び後部内周壁板２３ｅが一体的に延出している。これらの前部内周壁板２３ｄ及び後部内周壁板２３ｅは、断面略「逆Ｕ字状」をなすように折れ曲がって下方に延出しており、細線同軸ケーブルＳＣの延在方向である「前後方向」において予め定められた距離を隔てて配置されている。
【００４３】
このリセハウジング２１に装着されたリセシェル２３の前部内周壁板２３ｄ及び後部内周壁板２３ｅには、プラグコネクタ１に対する嵌合凹部を形成しているコネクタ内方側に向かって突出する複数体のグランド接続舌片２３ｇ，２３ｈが、「長手方向（多極配列方向）」に所定の間隔をなして設けられている。それらの各グランド接続舌片２３ｇ，２３ｈは、片持ちの板バネ状をなすように、前部内周壁板２３ｄ及び後部内周壁板２３ｅに対して傾斜方向に切り起こされた状態に延在している。そして、それらの各グランド接続舌片２３ｇ，２３ｈは、プラグコネクタ１がリセプタクルコネクタ２に嵌合されたときに、前述したプラグコネクタ１の下部プラグシェル１３ｂを構成している前部外周壁板１３ｉ及び後部外周壁板１３ｊの各々に対して、各々前方側及び後方側の各方向から圧接状態で接触し、それによってグランド回路の一部が構成されるようになっている（図５参照）。
【００４４】
このように、金属部材からなるプラグシェル１３及びリセシェル２３は、プラグコネクタ１とリセプタクルコネクタ２との嵌合時に最初に接触する部分となっており、その後における嵌合操作の方向性を規制する嵌合ガイド部材としての機能を有している。
【００４５】
［二重シールド構造について］
ここで、前述したようにしてプラグシェル１３に設けられた前部外周壁板１３ｉ及び後部外周壁板１３ｊは、例えば図１０に示すように、ケーブル状信号伝送部材としての細線同軸ケーブルＳＣの延在方向である「前後方向」において予め定められた距離を隔てて設けられた一対のプラグ側遮蔽部材を構成している。そして、それら一対のプラグ側遮蔽部材１３ｉ，１３ｊの間部分に、前述したプラグコンタクト１２のそれぞれが配置されている。同様に、前述したリセシェル２３に設けられた前部外周壁板２３ａ及び後部外周壁板２３ｂも、例えば図１７に示すように、ケーブル状信号伝送部材としての細線同軸ケーブルＳＣの延在方向である「前後方向」において予め定められた距離を隔てて設けられた一対のリセ側遮蔽部材を構成しており、それら一対のリセ側遮蔽部材２３ａ，２３ｂの間部分に、前述したリセコンタクト２２のそれぞれが配置されている。
【００４６】
このように、細線同軸ケーブルＳＣの延在方向である「前後方向」に対向配置されたプラグ側遮蔽部材１３ｉ，１３ｊ及びリセ側遮蔽部材２３ａ，２３ｂは、プラグコネクタ１とリセプタクルコネクタ２とが嵌合された状態において、例えば図５に示すように、上下方向に向かって略平行に延在しており、プラグコンタクト１２及びリセコンタクト２２の前方側部分（図５の左方側部分）において、プラグ側遮蔽部材１３ｉとリセ側遮蔽部材２３ａとの組からなる二重遮蔽壁部が構成されているとともに、プラグコンタクト１２及びリセコンタクト２２の後方側部分（図５の右方側部分）においては、プラグ側遮蔽部材１３ｊとリセ側遮蔽部材２３ｂとの組からなる二重遮蔽壁部が構成されている。
【００４７】
すなわち、これらの二重遮蔽壁部１３ｉ，２３ａ及び１３ｊ，２３ｂは、細線同軸ケーブルＳＣの延在方向である「前後方向」に予め定められた距離を隔てて一対のものが配置された構成になされており、それら一対の二重遮蔽壁部１３ｉ，２３ａ及び１３ｊ，２３ｂ同士の間部分に、前述したプラグコンタクト１２及びリセコンタクト２２が配置されている。
【００４８】
このような構成を備えた本実施形態によれば、リセプタクルコネクタ２に対してプラグコネクタ１が嵌合された際に、プラグシェル１３の一部とリセシェル２３の一部とにより構成された二重遮蔽壁部１３ｉ，２３ａ及び１３ｊ，２３ｂ同士の間部分にプラグコンタクト１２及びリセコンタクト２２が配置されることとから、伝送信号に対して良好な電磁遮蔽作用が得られ、高周波伝送においても十分なＥＭＩ対策が可能となる。
【００４９】
特に、本実施形態においては、例えば図１，５及び図１１に示すように、プラグシェル１３に設けられたプラグ側遮断部材１３ｉ，１３ｊと一対の側部外周壁板（一対のプラグ側遮断接続部材）１３ｋ，１３ｋとにより形成された枠状体によって、プラグコンタクト１２及びリセコンタクト２２が外方から取り囲まれた状態になされているとともに、図１，５及び図１８に示すように、リセシェル２３に設けられたリセ側遮断部材２３ａ，２３ｂと一対の側部外周壁板（一対のリセ側遮断接続部材）２３ｃ，２３ｃとにより形成された枠状体によって、プラグコンタクト１２及びリセコンタクト２２が外方から取り囲まれた状態になされることから、上述した電磁遮蔽作用がさらに高められるようになっている。
【００５０】
さらに、本実施形態では、複数体のリセコンタクト２２ごとに、自由端部をなす基板接続部２２ｂを目視可能とする窓２１ａが形成されていることから、プラグシェル１３とリセシェル２３とからなる二重遮蔽壁部１３ｉ，２３ａ及び１３ｊ，２３ｂ同士の間部分に配置されたリセコンタクト２２の印刷配線基板に対する接続状態が、リセハウジング２１の窓２１ａを通して容易かつ確実に確認されるようになっている。
【００５１】
さらにまた、本実施形態におけるプラグシェル１３及びリセシェル２３は、少なくとも嵌合時に接触する部分が金属部材からなる嵌合ガイド機能を備えていることから、リセプタクルコネクタ２に対するプラグコネクタ１の嵌合操作が、プラグシェル１３とリセシェル２３との金属部材同士の接触によって容易かつ安定的に行われる。
【００５２】
一方、上述した実施形態と同一の部材に対して同一の符号を付した図２１にかかる他の実施形態においては、リセハウジング２１´に設けられた窓２１ａ´が、上述した実施形態のようにリセコンタクト２１ごとに設けられておらず、複数体のリセコンタクト２２の全体に対して細長状に開口するように延在している。このような実施形態においても、上述した実施形態と同様な作用・効果を奏する。
【００５３】
以上、本実施形態によってなされた発明を実施形態に基づき具体的に説明したが、本実施形態は上述した実施形態に限定されるものではなく、その要旨を逸脱しない範囲で種々変形可能であるというのはいうまでもない。
【００５４】
例えば、上述した実施形態では、垂直嵌合型の電気コネクタに本実施形態を適用したものであるが、水平嵌合型の電気コネクタに対しても同様に適用することができる。
【００５５】
さらにまた本実施形態は、上述した各実施形態のような細線同軸ケーブル用コネクタ装置に限定されることはなく、細線同軸ケーブルと絶縁ケーブルとが複数混合したタイプの電気コネクタ装置等についても同様に適用することが可能である。
【産業上の利用可能性】
【００５６】
以上のように本実施形態は、各種電気機器に使用される多種多様なケーブル用電気コネクタ装置に対して広く適用することが可能である。
【符号の説明】
【００５７】
１  プラグコネクタ
２  リセプタクルコネクタ
１１  プラグハウジング
１２  プラグコンタクト
１２ａ  導体接続部
１２ｂ  嵌合接続部
１３  プラグシェル
１３ａ  上部プラグシェル
１３ｂ  下部プラグシェル
１３ｃ  固定片
１３ｄ  係止部
１３ｅ  固定片
１３ｆ  係止部
１３ｇ，１３ｈ  グランド接続舌片
１３ｉ  前部外周壁板（プラグ側遮蔽部材）
１３ｊ  後部外周壁板（プラグ側遮蔽部材）
１３ｋ  側部外周壁板（プラグ側遮蔽接続部材）
２１  リセハウジング
２１ａ  窓
２２  リセコンタクト
２２ａ  弾性接続部
２２ｂ  基板接続部
２２ｃ  信号接点凸部
２３  リセシェル
２３ａ  前部外周壁板（リセ側遮蔽部材）
２３ｂ  後部外周壁板（リセ側遮蔽部材）
２３ｃ  側部外周壁板（リセ側遮蔽接続部材）
２３ｄ  前部内周壁板
２３ｅ  後部内周壁板
２３ｆ  基板接続部
２３ｇ，２３ｈ  グランド接続舌片
ＳＣ  細線同軸ケーブル（ケーブル状信号伝送媒体）
ＳＣａ  ケーブル中心導体（ケーブル中心導体ＳＣａ）
ＳＣｂ  ケーブル外部導体（シールド線）
ＧＵ  上部グランドバー（グランド部材）
ＧＤ  下部グランドバー（グランド部材）
【図１】
2018045938.tif 000003
【図２】
2018045938.tif 000004
【図３】
2018045938.tif 000005
【図４】
2018045938.tif 000006
【図５】
2018045938.tif 000007
【図６】
2018045938.tif 000008
【図７】
2018045938.tif 000009
【図８】
2018045938.tif 000010
【図９】
2018045938.tif 000011
【図１０】
2018045938.tif 000012
【図１１】
2018045938.tif 000013
【図１２】
2018045938.tif 000014
【図１３】
2018045938.tif 000015
【図１４】
2018045938.tif 000016
【図１５】
2018045938.tif 000017
【図１６】
2018045938.tif 000018
【図１７】
2018045938.tif 000019
【図１８】
2018045938.tif 000020
【図１９】
2018045938.tif 000021
【図２０】
2018045938.tif 000022
【図２１】
2018045938.tif 000023